(57)【要約】【課題】簡単な操作でソファー、二段ベッド或いは上段にベッドを備えたソファーに転換可能な転換家具を実現する。【解決手段】ソファー形状の場合に背面となる部材とソファー形状の場合に座面となる部材を備え、ソファー形状の場合に背面となる部材はクッションを支持する背面フレーム部材を有し、ソファー形状の場合に座面となる部材は座面となるクッション素材とこれを支持する座面フレーム部材を有し、該背面フレーム部材と該座面フレーム部材は連接されてなり、さらに該連接された該背面フレーム部材と該座面フレーム部材の下部には上下にスライド可能な背面支持部材及び側面支持部材を備え、該上下にスライド可能な背面支持部材及び側面支持部材をスライドさせることによりソファー形状と二段ベッド形状或いは上段にベッドを備えたソファー形状に転換可能な転換家具である。【選択図】図１
2020130414.tif 000002
【特許請求の範囲】
【請求項１】
簡単な操作でソファー、二段ベッド或いは上段にベッドを備えたソファーに転換可能な転換家具であって、
ソファー形状の場合に背面となる部材とソファー形状の場合に座面となる部材を備え、
ソファー形状の場合に背面となる部材はクッションを支持する背面フレーム部材を有し、
ソファー形状の場合に座面となる部材は座面となるクッション素材とこれを支持する座面フレーム部材を有し、
該背面フレーム部材と該座面フレーム部材は連接されてなり、
さらに該連接された該背面フレーム部材と該座面フレーム部材の下部には上下にスライド可能な背面支持部材及び側面支持部材を備え、
該上下にスライド可能な背面支持部材及び側面支持部材をスライドさせることによりソファー形状と二段ベッド形状或いは上段にベッドを備えたソファー形状に転換可能な、
転換家具。
【請求項２】
請求項１記載の転換家具であって、
該座面フレーム部材の下部に安全柵及び階段部材が収納されてあり、
該上下にスライド可能な背面支持部材及び側面支持部材をスライドさせることによりソファー形状と二段ベッド形状或いは上段にベッドを備えたソファー形状に転換する場合に、スライドを上部に移動することにより該安全柵及び階段部材を設置することを特徴とする、
請求項１記載の転換家具。
【請求項３】
該安全柵は、
上方に移動させた後に固定器具により固定され、
該座面フレーム部材を固定設置することを特徴とする、
請求項２記載の転換家具。
【請求項４】
該固定器具は、
横方向への移動により上下方向の移動が規制される機構によることを特徴とする、
請求項３記載の転換家具。
【請求項５】
該固定器具は、
さらに二重ロック機構を有することを特徴とする、
請求項４記載の転換家具。
【請求項６】
該二重ロック機構は、
チェーンロックであることを特徴とする、
請求項５記載の転換家具。
【請求項７】
該安全柵は、
これに回動部材を介して連接された階段部材が連接されており、
該安全柵を上方に移動させると該階段部材が引き出され直立することを特徴とする、
請求項２乃至６の何れか一に記載の転換家具。
【請求項８】
請求項１乃至７の何れか一に記載の転換家具であって、
ソファー形状の場合の座面の下部には転換後に第二の座面となるクッション素材とこれを支持する第二の座面フレーム部材を有し、
二段ベッド形状或いは上段にベッドを備えたソファー形状に転換後に該第二の座面となるクッション素材とこれを支持する第二の座面フレーム部材を引き出して固定することにより下段の座面を形成することを特徴とする、
請求項１乃至７の何れか一に記載の転換家具。
【発明の詳細な説明】
【技術分野】
【０００１】
本発明は、簡単な操作でソファー、二段ベッド或いは上段にベッドを備えたソファーに転換可能な転換家具に関するものである。
【背景技術】
【０００２】
家庭内で用いる家具は、通常その用途によりそれぞれの形態を有するものである。その中で、ベッドやソファーはその専有面積が比較的大きく、それぞれを備えることは居住面積を圧迫してしまう。
【０００３】
このため、部品の組み替えなどにより形状及び用途を変換可能な転換家具が提案されている。
【先行技術文献】
【特許文献】
【０００４】
【特許文献１】特開２０００ー２２９０１４号公報
【特許文献２】特開２００４ー１７４１９４号公報
【特許文献３】特開２００９ー０６０９６２号公報
【特許文献４】特開２０１４ー０００３５２号公報
【特許文献５】特開２０１６ー０２２３７３号公報
【発明の概要】
【発明が解決しようとする課題】
【０００５】
しかしながら、従来の転換家具はベビーベッドとベビー柵の転換や、ブロック部材の組み合わせの変換による転換などにとどまり、特に占有面積の大きいベッドやソファーの転換は実現されていなかった。
【０００６】
また、特にベッドやソファーの場合は荷重が大きく、二段ベッドの上段においては特に対荷重と安全性の確保が求められていた。さらに、転換時の操作の簡便さも課題であった。
【課題を解決するための手段】
【０００７】
本発明は簡単な操作でソファー、二段ベッド或いは上段にベッドを備えたソファーに転換可能な転換家具に関するものである。
【０００８】
本発明は、簡単な操作でソファー、二段ベッド或いは上段にベッドを備えたソファーに転換可能な転換家具に於いて、ソファー形状の場合に背面となる部材とソファー形状の場合に座面となる部材を備え、ソファー形状の場合に背面となる部材はクッションを支持する背面フレーム部材を有し、ソファー形状の場合に座面となる部材は座面となるクッション素材とこれを支持する座面フレーム部材を有し、該背面フレーム部材と該座面フレーム部材は連接されてなり、さらに該連接された該背面フレーム部材と該座面フレーム部材の下部には上下にスライド可能な背面支持部材及び側面支持部材を備え、該上下にスライド可能な背面支持部材及び側面支持部材をスライドさせることによりソファー形状と二段ベッド形状或いは上段にベッドを備えたソファー形状に転換可能な転換家具である。
【０００９】
また本発明は、該座面フレーム部材の下部に安全柵及び階段部材が収納されてあり、該上下にスライド可能な背面支持部材及び側面支持部材をスライドさせることによりソファー形状と二段ベッド形状或いは上段にベッドを備えたソファー形状に転換する場合に、スライドを上部に移動することにより該安全柵及び階段部材を設置することを特徴とする。
【００１０】
また本発明は、該安全柵が上方に移動させた後に固定器具により固定され、該座面フレーム部材を固定設置することを特徴とする。
【００１１】
また本発明は、該固定器具が横方向への移動により上下方向の移動が規制される機構によることを特徴とする。さらに本発明は、該固定器具がさらに二重ロック機構を有することを特徴とする。さらに本発明は、該二重ロック機構がチェーンロックであることを特徴とする。
【００１２】
また本発明は、該安全柵はに回動部材を介して連接された階段部材が連接されており、該安全柵を上方に移動させると該階段部材が引き出され直立することを特徴とする。
【００１３】
また本発明は、ソファー形状の場合の座面の下部には転換後に第二の座面となるクッション素材とこれを支持する第二の座面フレーム部材を有し、二段ベッド形状或いは上段にベッドを備えたソファー形状に転換後に該第二の座面となるクッション素材とこれを支持する第二の座面フレーム部材を引き出して固定することにより下段の座面を形成することを特徴とする。
【発明の効果】
【００１４】
本発明は、簡単な操作でソファー、二段ベッド或いは上段にベッドを備えたソファーに転換可能な転換家具に関するものであって、占有面積の大きいベッドやソファーの転換を実現し、また耐荷重と安全性の面でも優れ、実用性の高い転換家具を実現した。
【図面の簡単な説明】
【００１５】
【図１】図１は、本発明に係る転換家具のソファー形状の態様の例を示す図面代用写真である。
【図２】図２は、本発明に係る転換家具の転換時において座面フレーム部材を上方に移動するために把持した状態を示す図面代用写真である。
【図３】図３は、本発明に係る転換家具の転換時において座面フレーム部材を上方に移動した状態を示す図面代用写真である。
【図４】図４は、本発明に係る転換家具の転換時において座面フレーム部材を上方に移動した後に安全柵及び階段部材を設置するために引き出す状態を示す図面代用写真である。
【図５】図５は、本発明に係る転換家具の転換時において安全柵及び階段部材を設置する状態を示す図面代用写真である。
【図６】図６は、本発明に係る転換家具の転換時において安全柵及び階段部材を設置する際に上部安全柵を固定する状態を示す図面代用写真である。
【図７】図７は、本発明に係る転換家具の転換時において二重ロックを固定する状態を示す図面代用写真である。
【図８】図８は、本発明に係る転換家具の転換時において第二の座面となるクッション素材とこれを支持する第二の座面フレーム部材を引き出し固定する状態を示す図面代用写真である。
【図９】図９は、本発明に係る転換家具の転換後の状態の例を示す図面代用写真である。
【発明を実施するための形態】
【００１６】
本発明は、簡単な操作でソファー、二段ベッド或いは上段にベッドを備えたソファーに転換可能な転換家具に於いて、ソファー形状の場合に背面となる部材とソファー形状の場合に座面となる部材を備え、ソファー形状の場合に背面となる部材はクッションを支持する背面フレーム部材を有し、ソファー形状の場合に座面となる部材は座面となるクッション素材とこれを支持する座面フレーム部材を有し、該背面フレーム部材と該座面フレーム部材は連接されてなり、さらに該連接された該背面フレーム部材と該座面フレーム部材の下部には上下にスライド可能な背面支持部材及び側面支持部材を備え、該上下にスライド可能な背面支持部材及び側面支持部材をスライドさせることによりソファー形状と二段ベッド形状或いは上段にベッドを備えたソファー形状に転換可能な転換家具である。
【００１７】
また本発明は、該座面フレーム部材の下部に安全柵及び階段部材が収納されてあり、該上下にスライド可能な背面支持部材及び側面支持部材をスライドさせることによりソファー形状と二段ベッド形状或いは上段にベッドを備えたソファー形状に転換する場合に、スライドを上部に移動することにより該安全柵及び階段部材を設置することを特徴とする。
【００１８】
また本発明は、該安全柵が上方に移動させた後に固定器具により固定され、該座面フレーム部材を固定設置することを特徴とする。
【００１９】
また本発明は、該固定器具が横方向への移動により上下方向の移動が規制される機構によることを特徴とする。さらに本発明は、該固定器具がさらに二重ロック機構を有することを特徴とする。さらに本発明は、該二重ロック機構がチェーンロックであることを特徴とする。
【００２０】
また本発明は、該安全柵はに回動部材を介して連接された階段部材が連接されており、該安全柵を上方に移動させると該階段部材が引き出され直立することを特徴とする。
【００２１】
また本発明は、ソファー形状の場合の座面の下部には転換後に第二の座面となるクッション素材とこれを支持する第二の座面フレーム部材を有し、二段ベッド形状或いは上段にベッドを備えたソファー形状に転換後に該第二の座面となるクッション素材とこれを支持する第二の座面フレーム部材を引き出して固定することにより下段の座面を形成することを特徴とする。
【００２２】
本発明は、簡単な操作でソファー、二段ベッド或いは上段にベッドを備えたソファーに転換可能な転換家具に関するものであって、占有面積の大きいベッドやソファーの転換を実現し、また耐荷重と安全性の面でも優れ、実用性の高い転換家具を実現した。
【実施例１】
【００２３】
図１は、本発明に係る転換家具のソファー形状の態様の例を示す図面代用写真である。このように、通常のソファーの形態を有するのであるが、座面下部に各種機構を内蔵しており、これによって、簡単な操作でソファー、二段ベッド或いは上段にベッドを備えたソファーに転換可能な転換家具を実現している。ここではソファー形状の場合に背面となる部材１及びソファー形状の場合に座面となる部材２が見えている。
【００２４】
以下、本発明に係る転換家具の転換について順次説明する。図２は、本発明に係る転換家具の転換時においてソファー形状の場合に座面となる部材２を上方に移動するために把持した状態を示す図面代用写真である。まず、この座面フレーム部材を上方に引き上げることにより、内蔵された部材が現れてくる。
【００２５】
図３は、本発明に係る転換家具の転換時において座面フレーム部材を上方に移動した状態を示す図面代用写真である。ここで、上下にスライド可能な背面支持部３材及び側面支持部材４により、ソファー形状と二段ベッド形状或いは上段にベッドを備えたソファー形状に転換可能となっている。また、下部には安全柵５が見えてくる。
【００２６】
図４は、本発明に係る転換家具の転換時において座面フレーム部材を上方に移動した後に安全柵及び階段部材を設置するために引き出す状態を示す図面代用写真である。この後、安全柵５を手前に引き上げるようにすることで、安全柵５及び階段部材６が引き出されてくる。安全柵５及び階段部材６は回動部材９により連接されている。
【００２７】
図５は、本発明に係る転換家具の転換時において安全柵及び階段部材を設置する状態を示す図面代用写真である。安全柵５を引き出すと上部安全柵も引き出され、これを立てて固定する。この際、階段部材６も引き出され固定される。
【００２８】
図６は、本発明に係る転換家具の転換時において安全柵及び階段部材を設置する際に上部安全柵を固定する状態を示す図面代用写真である。固定器具７を固定することにより全ての可動部材が強固に連接された形態となり、耐荷重と安全性が確保された。
【００２９】
図７は、本発明に係る転換家具の転換時において二重ロックを固定する状態を示す図面代用写真である。二重ロック機構８を固定することにより、さらに安全性を高めている。
【００３０】
図８は、本発明に係る転換家具の転換時において第二の座面となるクッション素材とこれを支持する第二の座面フレーム部材を引き出し固定する状態を示す図面代用写真である。下部に収納された第二の座面フレーム部材１０を引き出し固定することで下段の座面を形成する。
【００３１】
図９は、本発明に係る転換家具の転換後の状態の例を示す図面代用写真である。このように、簡単な操作でソファー、二段ベッド或いは上段にベッドを備えたソファーに転換可能な転換家具が実現された。
【産業上の利用可能性】
【００３２】
本発明は、簡単な操作でソファー、二段ベッド或いは上段にベッドを備えたソファーに転換可能な転換家具に関するものであって、占有面積の大きいベッドやソファーの転換を実現し、また耐荷重と安全性の面でも優れ、実用性の高い転換家具を実現し、産業上の利用可能性は大であると言える。
【符号の説明】
【００３３】
１    ソファー形状の場合に背面となる部材
２    ソファー形状の場合に座面となる部材
３    背面支持部材
４    側面支持部材
５    安全柵
６    階段部材
７    固定器具
８    二重ロック機構
９    回動部材
１０    第二の座面フレーム部材
【図１】
2020130414.tif 000003
【図２】
2020130414.tif 000004
【図３】
2020130414.tif 000005
【図４】
2020130414.tif 000006
【図５】
2020130414.tif 000007
【図６】
2020130414.tif 000008
【図７】
2020130414.tif 000009
【図８】
2020130414.tif 000010
【図９】
2020130414.tif 000011